(57)【特許請求の範囲】
【請求項１】
ホース本体（４）の長さ方向に延びてその長さ方向に伸縮性を有するたて糸（５）と、ホース本体（４）の周方向に延びるよこ糸（６）とを織成してなる筒状布（７）に、気密処理を施してホース本体（４）を形成し、当該ホース本体（４）の周方向の一部にその長さ方向に沿って、そのホース本体（４）の長さ方向の伸長を抑制する伸長抑制手段（９）を講じ、内圧を作用させたときに螺旋状に彎曲するホース（３）において、当該ホース（３）が螺旋状に彎曲した状態におけるその螺旋の軸方向に延びる複数の索体（１０）で、隣接するホース同士を連結したことを特徴とする、柔軟な筒状体の骨格
【請求項２】
隣接するホース（３）間の前記索体（１０）の長さを調節可能としたことを特徴とする、請求項１に記載の柔軟な筒状体の骨格
【発明の詳細な説明】
【０００１】
【発明の属する技術分野】
本発明は、内圧を作用させたときに螺旋状に彎曲するホースに関するものであって、その螺旋の外側を筒状の布帛で覆うことにより、大口径の柔軟な筒状体を形成する骨格に関するものである。
【０００２】
【従来の技術】
出願人は先に、特願２０００−３３４１５４号出願をしている。この出願は、螺旋状ホースに関するものであって、内圧を作用させたときに彎曲して螺旋状の形態を取るものである。
【０００３】
そしてその螺旋状ホースの用途として、その螺旋の外側を筒状の布帛で覆うことにより、イベント会場におけるアーチ型バルーンや、オイルフェンスの浮体などの大口径の筒状体を形成することが記載されている。
【０００４】
【発明が解決しようとする課題】
前記螺旋状ホースは、その出願の明細書にも記載されているように、加圧時には同一平面上で彎曲し、螺旋の軸方向への移動は生じず、ピッチが小さくほゞ密着した螺旋を呈することとなる。そしてその螺旋を軸方向に引っ張ることにより、ピッチを拡大することができるのである。
【０００５】
しかしながら前述のように、この螺旋状ホースの螺旋の外側を筒状の布帛で覆い、大口径の筒状体を形成しようとした場合には、筒状の布帛の内部で布帛との摩擦により螺旋状ホースの螺旋のピッチにばらつきが生じ、均一な筒状体を形成することが困難となる。
【０００６】
本発明はかかる事情に鑑みなされたものであって、筒状布帛内における螺旋状ホースの螺旋のピッチのばらつきを防止し、全体に亙って所定のピッチの螺旋を形成して、筒状体を均等に拡開する骨格を形成し得る螺旋状ホースを提供することを目的とするものである。
【０００７】
【課題を解決するための手段】
而して本発明は、ホース本体の長さ方向に延びてその長さ方向に伸縮性を有するたて糸と、ホース本体の周方向に延びるよこ糸とを織成してなる筒状織布に、気密処理を施してホース本体を形成し、当該ホース本体の周方向の一部にその長さ方向に沿って、そのホース本体の長さ方向の伸長を抑制する伸長抑制手段を講じ、内圧を作用させたときに螺旋状に彎曲するホースにおいて、当該ホースが螺旋状に彎曲した状態におけるその螺旋の軸方向に延びる複数の索体で、隣接するホース同士を連結したことを特徴とするものである。
【０００８】
また本発明においては、隣接するホース間の前記索体の長さを調節可能とすることが好ましい。
【０００９】
【発明の実施の形態】
以下本発明の実施の形態を図面に従って説明する。図１は本発明の筒状体の骨格１を示すものであって、２はその骨格１における螺旋状ホースであり、当該螺旋状ホース２は柔軟な筒状のホース３よりなっている。
【００１０】
図２は螺旋状ホース２におけるホース３の一例を示すものであって、（ａ）はそのホース３の一部の斜視図であり、（ｂ）はそのホース３の主要部の拡大横断面図である。
【００１１】
図面において４はホース本体であって、当該ホース本体４の長さ方向に延びる伸縮性を有するたて糸５と、ホース本体４の周方向に延びるよこ糸６とを筒状に織成して筒状布７を形成し、当該筒状布７の内面に気密性の内張り８を形成して気密処理を施したものである。
【００１２】
そしてその筒状布７におけるたて糸５として、長さ方向に伸縮性を有する糸条を使用する。当該たて糸５の伸縮性を有する素材としては、合成繊維の捲縮加工糸や、ポリウレタン弾性糸などを使用することができる。またよこ糸６としては、通常の天然繊維又は合成繊維を使用することができ、伸縮性を有しないものを使用するのが好ましい。
【００１３】
また内張り８は、ゴムや、軟質塩化ビニル樹脂、ポリウレタン弾性体、ポリエステルエラストマーなどの柔軟な材料が使用され、これらの材料よりなるチューブを筒状布７内に引き込み、内圧をかけて膨らませ、筒状布７の内面に接着することにより形成することができる。
【００１４】
また一般に消防用ホースなどにおいて、ジャケットの内面に内張りを施すための方法が種々提案されており、それらを適宜選択して内張り８を形成することもできる。
【００１５】
なおこの例においては、内張り８は少なくとも筒状布７の内面に形成されることが必要であるが、筒状布７の外面にも同様のゴム又は軟質プラスチックの皮膜を形成しても差し支えない。
【００１６】
このホース本体４の内面には、その周方向の一部においてホース本体４の長さ方向に延びる、伸縮性を有しない柔軟なテープ状物９が添着され、ホース本体４の長さ方向の伸長を部分的に抑制されている。当該テープ状物９としては、細幅の織物が適しており、添着の手段としては、縫製、接着などの手段によることができる。
【００１７】
なおこのテープ状物９は、ホース本体４における内張り８の内側に添着することもできるが、図２（ｂ）に示すように筒状布７の内面にテープ状物９を添着し、その内側に内張り８を形成するのが好ましい。
【００１８】
テープ状物９を筒状布７の内面に添着する方法として、当該テープ状物９を筒状布７内に引き込み、これを接着又は縫着して添着することもできるが、テープ状物９を筒状布７の外面に接着又は縫着して添着すると共に、その筒状布７の外面に気密性の皮膜を形成しておき、これを適宜の方法で内外面を裏返して、前記皮膜を内張り８とすると共に、テープ状物９を筒状布７の内面に位置せしめることもできる。
【００１９】
なお本発明においてテープ状物９は、ホース本体４の外面に添着することもできるが、ホース本体４に内圧がかかって伸長力が作用したときに、その外面に添着したテープ状物９が剥がれる恐れがあるので、テープ状物９はホース本体４の内面に添着することが好ましい。
【００２０】
而して本発明においては、図１に示すように、前記螺旋状ホース２を形成するホース３における螺旋の外側に、当該螺旋の軸方向に延びる複数の索体１０が配設され、当該索体１０で隣接するホース３体同士が連結されている。その索体１０としては、柔軟な紐又はテープが適当である。
【００２１】
そしてその螺旋状ホース２の外側に筒状の布帛１１が被せられており、螺旋状ホース２がその筒状の布帛１１を円筒状に膨らませて筒状体１２を形成し、螺旋状ホース２が筒状体１２の骨格を形成する。
【００２２】
【作用】
本発明におけるホース３は、基本的にはたて糸とよこ糸とを織成した筒状の織布に気密処理を施した構造を有しているので、その筒状の織布により耐圧力を有しており、且つ筒状の織布の柔軟性に基づいて不使用時に扁平に折り畳むことが可能な構造を有している。
【００２３】
そして前記筒状の織布におけるたて糸として、伸縮性を有する糸条が使用されているので、内圧がかかったときにはたて糸５に張力が作用し、ホース本体４は長さ方向に伸長すると共に、そのホース本体４の周方向の一部において伸長が抑制されているので、内圧がかかって張力が作用したときにも、当該伸長が抑制された部分は伸長することはない。
【００２４】
従って内圧がかかってホース３の長さ方向に張力が作用したときには、前記伸長が抑制された部分は伸長せず、それ以外の部分は伸長して伸長量に差が生じ、ホース３は伸長が抑制された部分が内側となるように彎曲し、長尺のホース３の全長に亙ってその彎曲が連続し、螺旋状を呈する。
【００２５】
なおホース体２の彎曲は同一平面状で彎曲することとなるが、螺旋は小さい力で軸方向の伸縮が可能であるので、軸方向に引っ張ることにより自由なピッチの螺旋形状を得ることができるのである。
【００２６】
而して本発明においては、螺旋状ホース２を形成するホース３が、螺旋の隣接するホース３同士が索体１０で連結されており、螺旋状ホース２を螺旋の軸方向に引き伸ばしたときに隣接するホース３の間隔が索体１０で規制され、全体としても部分的にも、過度に引き伸ばされることがない。
【００２７】
螺旋状ホース２を筒状の布帛１１内に収容した状態で加圧し、筒状の布帛１１内において螺旋状を呈した場合においても、隣接するホース３の間隔が規制されているため、部分的に螺旋のピッチが大幅に変動することがなく、均一な筒状体を形成することができるのである。
【００２８】
また隣接するホース３を複数の索体１０で連結しているので、その隣接するホース３間の索体１０の長さを変えることにより、螺旋状ホース２を引き伸ばしたときに彎曲した形状とすることができる。
【００２９】
図３はこの状態を示すものである。ホース３が螺旋状をなしており、その螺旋において隣接するホース３が二本の索体１０で連結されており、図中矢印ａで示す部分はホース３間の索体１０が短く、矢印ｂで示す部分は索体１０が長くなっており、螺旋状ホース２の軸方向は、矢印ａの部分が内側となるように彎曲している。
【００３０】
また図４は、隣接するホース３間を連結する索体１０に、当該索体１０の長さを調節可能とする調節部材１３が設けられており、当該調節部材１３でホース３間の索体１０の長さを変更することにより、螺旋状ホース２を引き伸ばしたときに所望の経路で彎曲させることができる。
【００３１】
本発明の螺旋状ホース２を骨格１として、その外側に筒状の布帛１１を被せることにより筒状体１２を形成し、当該筒状体１２は種々の用途に使用することができる。
【００３２】
図５は当該筒状体１２の一例としての、イベント会場において使用されるアーチ型バルーン１６を示すものである。すなわち本発明の骨格１を、請求項２の構造により、螺旋状ホース２を引き伸ばしたときに略半円形となるよう彎曲するように形成し、その外側に気密性を有する略半円形の筒状の布帛１１を被せ、その筒状の布帛１１の一部に空気送入口１４を設けたものである。
【００３３】
而して圧縮空気圧入口１５から、ホース３内に圧縮空気を圧入することにより、当該ホース３は螺旋状に彎曲すると共に、当該螺旋によって筒状の布帛１１を円筒状に押し拡げる。押し拡げられた筒状の布帛１１内には、空気送入口１４から空気が吸入される
この状態で空気送入口１４から筒状の布帛１１内にさらに空気を送入すると、当該空気により筒状の布帛１１が膨らむと共にアーチ状に立ち上がり、螺旋状ホース２はその筒状の布帛１１内においてほゞ均等のピッチに引き伸ばされ、アーチ型バルーン１６の骨格を形成する。
【００３４】
アーチ型バルーン１６が一旦膨らんだ後は、螺旋状ホース２が筒状の布帛１１を膨らんだ状態に支えているため、空気送入口１４から筒状の布帛１１内への空気の送入を停止しても形状が崩れることがない。
【００３５】
また図６は筒状体１２の他の例としてのオイルフェンス１７を示すものである。このオイルフェンス１７は円筒状の浮体部１８と、該浮体部１８の下部に垂下したスカート部１９とよりなっており、前記浮体部１８の円筒形状を保持するために本発明の骨格１が適用されている。
【００３６】
すなわち、浮体部１８の外周は筒状の布帛１１よりなっており、当該筒状の布帛１１内に本発明の螺旋状ホース２よりなる骨格１が収容されいる。そして内圧により螺旋状をなした螺旋状ホース２により、筒状の布帛１１は円筒状に保持されている。
【００３７】
このオイルフェンス１７においては、ホース３内を圧縮空気で加圧した場合には、そのホース３のみで十分な浮力を確保できるので、筒状の布帛１１内に空気を封入する必要はなく、また水密性を有しなくてもよい。
【００３８】
【発明の効果】
本発明によれば、骨格１の螺旋状ホース２内に流体を送入して内圧を作用させたときには、テープ状物９などにより伸長を抑制した部分は伸長することなく、それ以外の部分がたて糸５の伸縮性に基づいて伸長し、自然に彎曲して螺旋状の形状を呈する。
【００３９】
そして螺旋状ホース２における螺旋の隣接するホース３の間を索体１０で連結しているので、螺旋の軸方向に引っ張ったときに過度に伸長することがなく、螺旋のピッチが索体１０で規制される。
【００４０】
従ってその骨格１の外側に筒状の布帛１１を被せて筒状体１２を形成したときに、その筒状体１２内で螺旋状ホース２のピッチが乱れることがなく、ほゞ均一な筒状体１２を形成することができる。
【００４１】
さらに請求項２の発明によれば、ホース３間を連結する索体１０の長さを調節することにより、骨格１を彎曲させることができ、所望の経路で彎曲した筒状体１２を形成することができる。
【図面の簡単な説明】
【図１】  本発明の骨格の斜視図
【図２】  本発明におけるホースを示すものであって、（ａ）は一部の斜視図、（ｂ）はその一部の拡大横断面図である。
【図３】  本発明の骨格が彎曲した螺旋状をなす状態を示す平面図
【図４】  請求項２の発明の骨格の正面図
【図５】  本発明を適用したアーチ型バルーンの正面図
【図６】  本発明を適用したオイルフェンスの斜視図
【符号の説明】
１  骨格
２  螺旋状ホース
３  ホース
４  ホース本体
５  たて糸
６  よこ糸
７  筒状布
９  テープ状物
１０  索体
１１  筒状の布帛
１２  筒状体
【図１】
0004641659.tif 000002
【図２】
0004641659.tif 000003
【図３】
0004641659.tif 000004
【図４】
0004641659.tif 000005
【図５】
0004641659.tif 000006
【図６】
0004641659.tif 000007